(57)【要約】【課題】  本発明は、離型紙に仮貼着せずに供給することができ、更に、平坦面だけでなく三次元的な面にも良好に貼付することができる収納ラベルを提供することを課題とする。【解決手段】  感熱性接着剤８の積層された上層フィルム２の該接着剤面が下層フィルム３の上面に重ね合わされ且つ上下層フィルム２，３の周縁部４の全部又は一部が感熱性接着剤８を介して接着されており、上下層フィルム２，３間に収納物１０を収納可能な収納部５が形成された本体６を有し、感熱性接着剤８の積層された上層フィルム２が、本体６の少なくとも一側縁６ａから外側に延出されている収納ラベル１。【選択図】  図３
2008216617.tif 000002
【特許請求の範囲】
【請求項１】
感熱性接着剤の積層された上層フィルムの該接着剤面が下層フィルムの上面に重ね合わされ、且つ前記上下層フィルムの周縁部の全部又は一部が前記感熱性接着剤を介して接着され、上下層フィルム間に収納物を収納可能な収納部が形成されている本体を有し、
前記感熱性接着剤の積層された上層フィルムが、本体の少なくとも一側縁から外側に延出されていることを特徴とする収納ラベル。
【請求項２】
前記上層フィルムの延出部分が、本体から外側へ向かうに従って幅狭となるように形成されている請求項１に記載の収納ラベル。
【発明の詳細な説明】
【技術分野】
【０００１】
本発明は、縁部が接着された２枚のフィルムの間に説明書などを収納し、感熱性接着剤を介して被貼付体に貼付できる収納ラベルに関する。
【背景技術】
【０００２】
従来、懸賞応募ハガキ、薬品能書、取扱説明書、商品説明書、懸賞応募説明書などの各種説明書、保証書などの各種証明書類、小冊子、各種カード類、付録などの扁平状の収納物を商品に添付するため、該収納物を収納した状態で商品に貼付できる袋状の収納ラベルが知られている。
かかる収納ラベルとして、重ね合わせた上下２層のフィルムの周縁部を接着することにより、２層のフィルム間に周縁接着部が形成され、且つ前記周縁接着部で囲われる領域内に収納部が形成された本体と、下層のフィルムの下面に設けられた粘着部と、を備え、下層のフィルムに開封用切れ目が形成されているものが知られている（特許文献１）。
また、商品に粘着させる粘着層が一方の面に形成されたシート状の基材と、該基材の他方の面に重ね合わされたフィルムとで構成され、基材及びフィルムは、添付物を介在させた状態で、該添付物の介在する領域の外側の領域同士が貼着されて収容空間を形成するとともに、収容空間と外部とを連通させる空気逃路が形成されている収納ラベルが知られている（特許文献２）。
【０００３】
上記従来の収納ラベルは、下層フィルム（基材）に設けられた粘着部（粘着層）によって、商品に貼付される。
上記粘着部を有する収納ラベルは、商品に貼付する前、離型紙に仮貼着した状態で供給される。
しかしながら、離型紙は、収納ラベルを貼付した後、廃棄されるものであり、省ゴミ化の観点から離型紙を用いないことが好ましい。さらに、上記収納ラベルは、離型紙を備える分、製品のコストが上昇するという問題点がある。
【０００４】
また、従来の収納ラベルは、下層フィルムの下面に粘着部が設けられているため、被貼付体（商品）の三次元的な面に貼付することが困難である。
具体的には、この種の収納ラベルは、商品説明書などの扁平状の収納物が内部に収納されているため、平板状となっていて、全体として曲がり難い。このため、下層フィルムの下面に粘着部が設けられている上記収納ラベルは、被貼付体の平坦面に貼付することに適するが、曲面などの三次元的な面に貼付することが困難である。
【特許文献１】特開２００６−３０９０７０号公報
【特許文献２】特開２００５−１７３３００号公報
【発明の開示】
【発明が解決しようとする課題】
【０００５】
そこで、本発明は、離型紙を用いずに供給することができ、更に、平坦面だけでなく三次元的な面にも良好に貼付することができる収納ラベルを提供することを課題とする。
【課題を解決するための手段】
【０００６】
本発明は、感熱性接着剤の積層された上層フィルムの該接着剤面が下層フィルムの上面に重ね合わされ、且つ上下層フィルムの周縁部の全部又は一部が前記感熱性接着剤を介して接着され、上下層フィルム間に収納物を収納可能な収納部が形成されている本体を有し、感熱性接着剤の積層された上層フィルムが、本体の少なくとも一側縁から外側に延出されている収納ラベルを提供する。
【０００７】
かかる収納ラベルは、本体の外側に、感熱性接着剤が積層された上層フィルムが延出されている。この上層フィルムの延出部分に於ける感熱性接着剤を加熱し、該延出部分の接着剤面を被貼付体の所望位置に貼付することにより、延出部分を介して収納ラベルを被貼付体に貼付することができる。
この延出部分には、収納物が存在しないので、延出部分は、主として上層フィルムの硬さに起因して柔軟性を有する。このため、該延出部分は、被貼付体の平坦面のみならず、三次元的な面に合わせて適宜変形するから、被貼付体の所望の箇所に良好に貼付することができる。
なお、上記収納ラベルは、下層フィルムの下面に粘着剤などが設けられておらず、且つ、貼付部である延出部分の感熱性接着剤は、室温で接着性を示さないので、離型紙を用いずに供給することができる。
【０００８】
本発明の好ましい収納ラベルは、上記上層フィルムの延出部分が、本体から外側へ向かうに従って幅狭となるように形成されている。
かかる好ましい態様の収納ラベルは、例えば、円錐曲面のような径差の異なる曲面に延出部分を貼付した場合、該延出部分に皺が生じ難くなる。従って、貼付作業が煩雑とならず、且つ貼付した延出部分の外観も良好となる。
【発明の効果】
【０００９】
本発明に係る収納ラベルは、離型紙を具備しないので、比較的安価に提供でき、且つ、省ゴミ化を図ることができる。
さらに、本発明の収納ラベルは、被貼付体の三次元的な面を含む所望の箇所に貼付することができる。
また、本発明の好ましい収納ラベルは、貼付作業が煩雑とならず、更に、貼付後の延出部分の外観も良好である。
【発明を実施するための最良の形態】
【００１０】
以下、本発明について、図面を参照しつつ具体的に説明する。
なお、本明細書に於いて、フィルムとは、一般にシートと呼ばれているものを含む意味である。
図１〜図３に於いて、１は、上下２層のフィルム２，３の周縁部を接着することにより、周縁接着部４が形成され、且つ、該周縁接着部４の内側であって上下層フィルム２，３の層間に収納部５が形成されている本体６と、この本体６の一側縁６ａから延出された延出片７と、本体６の収納部５内に収納された収納物１０と、を備える収納ラベルを示す。
なお、５ａは、上下層フィルム２，３を切断して収納部５を開封する際の開封基点となる切り目を示す。
【００１１】
上下層フィルム２，３の周縁部は、上層フィルム２の下面に積層された感熱性接着剤を介して接着されている。
また、下層フィルム３の下面は、被貼付体に貼付するための手段（例えば、感圧型粘着剤などの粘着剤や感熱性接着剤などの接着剤など）が具備されていない。このため、本発明の収納ラベル１は、離型紙を用いずに供給できる。
一方、被貼付体に貼付するための手段は、延出片７に具備されており、該延出片７の下面には、感熱性接着剤が積層されている。この延出片７は、感熱性接着剤が積層された上層フィルム２を下層フィルム３の一側縁３ａ（本体６の一側縁６ａ）から延出した部分で構成されている。
【００１２】
具体的には、上層フィルム２及び下層フィルム３の材質は、特に限定されず、例えば、合成樹脂製フィルム、紙、合成紙、合成樹脂製フィルムと紙の積層体などの積層フィルムなどの公知のフィルムを使用することができる。上層フィルム２及び下層フィルム３は、耐熱性に優れ且つ剛性も有することから、ポリエチレンテレフタレートフィルムなどのポリエステル系、ポリアミド系、ポリプロピレンなどのポリオレフィン系などの合成樹脂製フィルムを用いることが好ましく、特に、これらの二軸延伸フィルムを用いることがより好ましい。
上層フィルム２及び下層フィルム３は、通常、厚み１０〜１００μｍ程度のものが用いられる。
【００１３】
また、少なくとも一方のフィルム（例えば上層フィルム２）は、収納部５に収納された収納物１０を透視できるようにするため、透明又は半透明のフィルムを用いることが好ましい。
上層フィルム２及び下層フィルム３は、同種または同一のフィルムを用いてもよいし、異なるフィルムを用いてもよい。
もっとも、少なくとも上層フィルム２は、３次元的な面に対応して柔軟に変形しうるフィルムが用いられる。
【００１４】
この上層フィルム２の下面全体に、感熱性接着剤が実質的にベタ状に塗工されている。従って、上層フィルム２の下面全体に、感熱性接着剤からなる接着剤層８が積層されている。
感熱性接着剤は、室温では接着性を示さず且つ加熱されることによって活性化して接着性を発現しうる接着剤である。
感熱性接着剤は、室温で接着性を示さず、且つ加熱することによって下層フィルム３の上面に接着可能なものであれば特に限定されない。
感熱性接着剤の活性化温度（接着性を発現する温度）は、６０℃〜１２０℃程度、好ましくは８０℃〜１２０℃程度である。
感熱性接着剤の種類としては、例えば、ディレードタック型感熱接着剤、固体可塑剤を含まないエマルジョン型感熱接着剤（以下、単に「エマルジョン型感熱接着剤」と記す）、溶剤型感熱接着剤、ホットメルト型接着剤などが挙げられる。
【００１５】
ディレードタック型感熱接着剤は、室温で接着性を示さず、加熱することによって活性化して接着性を示し且つ冷却後長時間に亘ってそれが持続するものであり、グラビアコーティングなどの印刷によって塗工可能な接着剤である。ディレードタック型感熱接着剤としては、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型のものなどが例示される。
エマルジョン型感熱接着剤及び溶剤型感熱接着剤は、室温で接着性を示さず、加熱によって接着性を示し、例えば、エチレン−酢酸ビニル共重合体などの熱接着性樹脂と粘着付与剤などを水又は有機溶剤などに溶解又は分散させた溶液を、グラビアコーティングなどの印刷によって塗工可能な接着剤であり、塗工後乾燥して使用するものである。
ホットメルト型接着剤は、常温で接着性を示さず、加熱することによって接着可能となるものであり、加熱溶融し、ホットメルトコーター、エクストルージョンラミネーターなどによって塗工可能な接着剤である。ホットメルト型接着剤としては、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。
接着剤層８の厚みは、特に限定されず、通常、３μｍ〜３０μｍ程度である。
【００１６】
収納ラベル１の平面形状は、略矩形状に形成されている。もっとも、収納ラベル１は、平面視略矩形状に限られず、平面視略三角形状、略円形状、略楕円形状などの適宜な形状に形成することもできる。該収納ラベル１の形状は、収納物の形状、デザイン性などを考慮して適宜設計される。
【００１７】
上記略矩形状の収納ラベル１を構成する下層フィルム３は、収納物１０の外形よりも大きい平面視略矩形状に形成されている。
一方、上層フィルム２は、前記下層フィルム３を覆い且つ下層フィルム３の一側縁３ａから一部分が延出しうる大きさの平面視略矩形状に形成されている。この延出部分（接着剤層８の設けられた上層フィルム２の延出部分）が延出片７に相当し、従って、延出片７は、平面視略矩形状に形成されている。
【００１８】
収納ラベル１は、上記上層フィルム２の延出片７を下層フィルム３の一側縁３ａから延出させつつ、上層フィルム２の接着剤層８の下面（接着剤面）を下層フィルム３の上面に重ね合わせ、その上下層フィルム２，３の周縁部を、上層フィルム２に設けられた接着剤層８を介して接着することによって形成されている。
このように上下２層のフィルム２，３を重ね合わせて周縁部を接着することによって、該周縁接着部４で囲われた領域内に収納部５が形成されている。但し、形成される収納部５内の空気を逃がすため、上下層フィルム２，３の周縁部の一部に、エアー抜き用の小さな通路４ａ（非接着部分）が確保されている。
【００１９】
上記収納ラベル１の延出片７の延出長さは、特に限定されないが、余りに短いと被貼付体との接着面積を十分に確保できず、一方、余りに長く形成しても費用対効果の点で好ましくない上、延出片７の取り扱い性が悪くなる。このような観点から、延出片７の延出長さは、１０ｍｍ〜５０ｍｍ程度に形成され、好ましくは２０ｍｍ〜４０ｍｍ程度に形成される。
なお、延出片７の幅（延出方向と直交する方向の長さ）は、製造容易なことから、本体６の一側縁６ａの長さと同長であることが好ましい。
【００２０】
尚、収納物１０としては、懸賞応募ハガキ、薬品能書、取扱説明書、商品説明書、懸賞応募説明書などの各種説明書、保証書などの各種証明書類、小冊子、各種カード類、コイン状物品、付録などの扁平状の収納物が挙げられる。また、収納物１０は、このような扁平状のものに限られず、ある程度嵩高いものでもよい。
収納ラベル１の収納部５の形状は、収納物１０の周縁よりも大きく形成され、収納物１０の形状などに応じて適宜設定される。
【００２１】
上記収納ラベル１は、例えば、次の方法にて製造できる。以下の製造例では、複数の収納ラベル１を一列作製する場合を例示する。但し、幅方向に二列以上作製する場合も、下記一列作製に準じて実施できる。
図４（ａ）に示すように、下層フィルムが連続的に繋がった長尺状の下層フィルム原反３１を、一方向に送り出しながら、該下層フィルム原反３１の上面に、収納物１０を所定間隔を開けて順次載せていく。
次に、同図（ｂ）に示すように、下面に感熱性接着剤が塗工された上層フィルムが連続的に繋がった長尺状の上層フィルム原反２１の該接着剤面を、下層フィルム原反３１の上面に重ね合わせる。この際、（延出片７となる長尺状の延出部分を形成するために）上層フィルム原反２１の一方縁２１ａを、下層フィルム原反３１の一方縁３１ａから外側へずらした状態で、下層フィルム原反３１の上面に上層フィルム原反２１を重ねる。
次に、同図（ｃ）に示すように、収納物１０が介在した状態の上下層フィルム原反２１，３１の該上層フィルム原反２１の上から、感熱性接着剤の活性化温度以上に加熱された熱コテ（図示せず）を当てる。該熱コテは、例えば、収納物１０の周縁よりも少し大きい平面視環状のものが用いられる。
【００２２】
上記熱コテを押し当てることにより、上下層フィルム原反２１，３１の周縁部が接着される。これを順次行うことにより、複数の収納ラベル１が長手方向に繋がった長尺体１１を作製することができる。
得られた長尺体１１を幅方向に切断する（切断箇所を一点鎖線で示している）ことにより、個々の収納ラベル１を得ることができる。
なお、上記製造例では、幅方向長さが下層フィルム原反３１よりも長い上層フィルム原反２１を用い、該上層フィルム原反２１を下層フィルム原反３１からずらして重ねることによって延出片７となる長尺状の延出部分を形成されるが、例えば、次のように変更することもできる。略同幅の上下層フィルム原反２１，３１をずらさずに重ね合わせた後、上下層フィルム原反２１，３１の一部領域を除いて、上下層フィルム原反２１，３１の周縁部を上記と同様にして接着した後、この周縁部の一方縁から延びる上下層フィルム原反２１，３１の一部領域のうち、下層フィルム原反３１のみを前記一方縁近傍に沿って切取除去することにより、延出片７となる長尺状の延出部分を有する長尺体１１を作製することができる。
そして、上記長尺体１１は、通常ロール状に巻き取られ、ラベラーに供給される。
なお、ラベラーは、長尺体１１を切断して収納ラベル１を作製した後、延出片７の感熱性接着剤を加熱して活性化しつつ、被貼付体に貼付する工程を繰り返して行う装置である。
【００２３】
上記収納ラベル１は、図５に示すように、延出片７に設けられた感熱性接着剤を介して被貼付体９に貼付される。
被貼付体９は、特に限定されず、ボトル型容器などの容器や包装箱などを具備する各種の商品、販促用の景品など、任意である。
【００２４】
上記延出片７は、上層フィルム２の延出部分であるため、柔軟性があり、被貼付体９の曲面に沿って良好に貼付することができる。
さらに、このように延出片７を介して被貼付体９に貼付すると、被貼付体９が曲面状であっても、収納ラベル１の本体６は、殆ど湾曲しないので、収納物１０に歪み癖が付く虞がない。
また、上記収納ラベル１は、延出片７のみを貼付手段とするので、本体６は被貼付体９から離れた状態となって自由に揺動しうるので、該収納ラベル１の存在を消費者に対して喚起させ易い効果を期待できる。
なお、延出片７は、被貼付体９の平坦面にも良好に貼付することができる。
【００２５】
次に、本発明の変形例を示す。
上記実施形態では、延出片７は、本体６の一側縁６ａと同長の一辺を有する平面視略矩形状に形成されているが、例えば、図６に示すように、上層フィルム２の延出片７が、本体６から外側へ向かうに従って幅狭となるように形成されている。
具体的には、該延出片７は、本体６の一側縁６ａ側を下底とする平面視略台形状に形成されている。
かかる収納ラベル１は、特に、被貼付体の円錐曲面のような径差の異なる曲面に延出片７を貼付した際、曲面の縮径に従い延出片７も幅狭となるので、該延出片７の全面が円錐曲面の形状に沿って略密着し、延出片７に皺が生じることを防止できる。また、このように延出片７に皺が生じにくいので、延出片７の貼付作業を簡素化することもできる。なお、このような径差の異なる曲面としては、例えば、図５に示すようなボトル型容器の首部９１などが例示される。
また、上記変形例では、本体６の一側縁６ａに於ける延出片７の幅が、本体６の一側縁６ａと略同長であるため、延出片７と本体６の境界部分で、本体６が延出片７から千切れる虞もない。
【００２６】
なお、本変形例に於いて、延出片７は、平面視略台形状に限られず、平面視略三角形状、平面視略半円状などに形成することもできる。
【００２７】
また、本発明の収納ラベル１は、図７に示すように、上層フィルム２（又は下層フィルム３でもよい）の面内であって収納部５に対応した部分に、開封用補助線４１が形成されていてもよい。該開封用補助線４１としては、ミシン目線やハーフカット線などが挙げられる。かかる開封用補助線４１が設けられた収納ラベル１は、この部分を分断することにより、収納物１０を出し入れすることができる。
【００２８】
さらに、上記実施形態では、上下層フィルム２，３の周縁部全体が実質的に接着されているが、収納物１０を出し入れ可能とする開口部を形成するために、上下層フィルム２，３の周縁部の一部が接着されていないものでもよい。この場合、延出片７を設けた本体６の一側縁６ａに於ける上下層フィルム２，３の縁部が非接着とされ、本体６の一側縁６ａに開口部を形成することが好ましい。
また、上記実施形態では、延出片７は、本体６の一側縁６ａから延設されているが、例えば、本体６の一側縁と他側縁（例えば、一側縁と向かい合う側縁等）の双方から延出片７が延設されていてもよい。
【図面の簡単な説明】
【００２９】
【図１】本発明の収納ラベルの一実施形態を示す平面図。但し、網掛けは、周縁接着部が設けられた範囲を示す（図２も同じ）。
【図２】同背面図。但し、薄墨塗りは、延出部分に於ける感熱性接着剤が設けられた範囲を示す。
【図３】図２のI−I線断面図。
【図４】同収納ラベルの製造過程を示す一部省略平面図。
【図５】同収納ラベルを被貼付体に貼付した状態を示す側面図。
【図６】本発明の収納ラベルの他の実施形態を示す背面図。
【図７】本発明の収納ラベルの他の実施形態を示す平面図。
【符号の説明】
【００３０】
１…収納ラベル、２…上層フィルム、３…下層フィルム、４…周縁接着部、５…収納部、６…本体、７…延出片（延出部分）、８…接着剤層、９…被貼付体、１０…収納物
【図１】
2008216617.tif 000003
【図２】
2008216617.tif 000004
【図３】
2008216617.tif 000005
【図４】
2008216617.tif 000006
【図５】
2008216617.tif 000007
【図６】
2008216617.tif 000008
【図７】
2008216617.tif 000009